(57)【要約】使い捨て排泄物処理デバイスは、長手方向中心線と、横断方向中心線とを有し、排泄物を収容する可撓性バッグと、前記デバイスを着用者の身体に付着させる接着フランジとを備える。前記可撓性バッグは、着用者に面する部分と、衣類に面する部分とを有する。前記着用者に面する部分は、前記接着フランジにより取り囲まれた開口を有する。前記使い捨て排泄物処理デバイスは、前記可撓性バッグが排泄物を収容する時、前記可撓性バッグの衣類に面する部分の伸張性が、前記可撓性バッグの着用者に面する部分の伸張性よりも大きいことを特徴とする。
2004516069.tif 000002
【特許請求の範囲】
【請求項１】
長手方向中心線と横方向中心線とを有する使い捨て排泄物処理デバイスであって、前記使い捨て排泄物処理デバイスが、排泄物を収容する可撓性バッグと、デバイスを着用者の身体に付着させる接着フランジとを備え、前記可撓性バッグが、着用者に面する部分と、衣類に面する部分とを有し、前記着用者に面する部分が、前記接着フランジにより取り囲まれた開口を有し、
前記可撓性バッグが排泄物を収容する時、前記可撓性バッグの衣類に面する部分の伸張性が、前記可撓性バッグの着用者に面する部分の伸張性よりも大きいことを特徴とする、使い捨て排泄物処理デバイス。
【請求項２】
１つ以上の折り目が、前記可撓性バッグの衣類に面する部分上に形成される、請求項１に記載の使い捨て排泄物処理デバイス。
【請求項３】
前記衣類に面する部分が、前記折り目に沿って曲折され及び前記折り目が、前記可撓性バッグが排泄物を収容する前は、前記開口を横断して配置される、請求項２に記載の使い捨て排泄物処理デバイス。
【請求項４】
前記着用者に面する部分と前記衣類に面する部分の間に置かれた吸収性物質と、前記着用者に面する部分と前記吸収性物質の間に置かれた液体透過性シートとを含む、請求項１に記載の使い捨て排泄物処理デバイス。
【請求項５】
長手方向中心線と横方向中心線とを有する使い捨て排泄物処理デバイスであって、前記使い捨て排泄物処理デバイスが、排泄物を収容する可撓性バッグと、デバイスを着用者の身体に付着させる接着フランジとを備え、前記可撓性バッグが、平面様の着用者に面する部分と、三次元形状を有する衣類に面する部分とを含み、及び前記着用者に面する部分が、前記接着フランジにより取り囲まれた開口を有することを特徴とする、使い捨て排泄物処理デバイス。
【請求項６】
前記衣類に面する部分が、前記可撓性バッグが排泄物を収容する前は、前記平面様の着用者に面する部分上で曲折されている、請求項５に記載の排泄物処理デバイス。
【請求項７】
前記衣類に面する部分の折り目が、前記可撓性バッグが排泄物を収容する前は、前記開口を横断して配置される、請求項５に記載の使い捨て排泄物処理デバイス。
【請求項８】
前記衣類に面する部分が、前記平面様の着用者に面する部分の反対側に１つ以上の隅部を有する、請求項５に記載の使い捨て排泄物処理デバイス。
【請求項９】
前記可撓性バッグが、実質的な多面体の形状を有する、請求項５に記載の使い捨て排泄物処理デバイス。
【発明の詳細な説明】
【０００１】
（発明の分野）
本発明は、乳児、小児又は成人用の尿処理デバイス及び糞便処理デバイスなどの使い捨て排泄物処理デバイスに関する。特に、本発明は、皮膚への取付け手段と、使用時に垂直に伸張して三次元形状をなすことができる可撓性袋とを備える使い捨て排泄物処理デバイスに関する。
【０００２】
（発明の背景）
排泄物処理デバイスは、主に、幼児、失禁患者、又は寝たきりの患者が着用するように設計された既知の製品である。かかる排泄物処理デバイスは、着用者の尿道領域、本来の肛門領域、又は人工肛門に装着され、尿、糞便物質又は他の身体排出物を捕捉し、直ちに収容することを意図する。
代表的な糞便処理デバイスは、例えばＥＰ０２４５０６４に開示されている。この文献は、可撓性の前壁及び後壁を有し、それらの周辺に共に固定される糞便失禁用バッグを開示している。前壁は、着用者が排出した物質が進入する穴を有する。この穴は、穴を取り囲む前壁の外側表面に固定される皮膚適合性耐水材質の接着パッドによって取り囲まれる。前壁及び後壁の一般的な形状は矩形である、つまり、バッグは、２つの対向する長辺と２つの対向する短辺とを有し、バッグの幅は、バッグの長さと比べると比較的に短い。
【０００３】
他の代表的な糞便処理デバイスは、例えばＰＣＴ国際公開特許ＷＯ９９／０００８５及びＷＯ９９／０００８６に開示されている。これらの公報は、開口と、その開口を取り囲む解剖学的形状のフランジとを有するバッグを備える糞便処理デバイスを開示している。バッグは、着用者に面する部分と、衣類に面する部分とを有し、その両方は異なる材質片から成る。着用者に面する部分と衣類に面する部分は、バッグの周辺で密閉されている。加えて、ＰＣＴ国際公開特許ＷＯ９９／０００８５には、着用者に面する部分の表面積が、衣類に面する部分の表面積よりも大きい旨が開示されている。
【０００４】
代表的な尿捕集デバイスは、例えば米国特許第４，８０４，３７７号に開示されている。ここでは、可撓性の捕集バッグと、そのバッグに結合した接着面付き取付け部材とを有する幼児又は小児用の尿捕集デバイスが開示されている。この可撓性の捕集バッグは、内側バッグと外側バッグとを備える。内側バッグと外側バッグは、共通のトップシームと相対する共有サイドシームで結合される。しかしながら、捕集バッグの伸張性について何らの技術的発想もない。
【０００５】
吸収性物質を含有する別の代表的な尿処理デバイスは、例えばＰＣＴ国際公開特許ＷＯ００／００１１３に開示されている。ここでは、可撓性の捕集バッグと、そのバッグに結合した接着フランジと、バッグ内に含有した吸収性物質とを有する、幼児、成人、寝たきりの患者、又は活動的な患者用の尿処理デバイスが開示されている。尿処理デバイスの可撓性捕集バッグは、着用者に面する部分と、衣類に面する部分とを有する。更に、バッグの着用者に面する部分上に複数の折り目が設けられることにより、捕集バッグの着用者に面する部分は、垂直に伸張することができる。
【０００６】
排泄物処理デバイスは、一般的に、デバイスの使用中は、着用者の脚の間の空間に位置する。故に、デバイスのバッグは、好ましくは、バッグを着用者の動きに適合すべく可撓性である必要がある。着用者が、尿、糞便物質及び／又は他の身体排出物などの排泄物をバッグ内に排出した後、デバイスのバッグは、着用者の臀部及び／又は脚部により押圧されることがある。これは、バッグ内の排泄物がバッグの内側から外側へと漏れる原因となり得る。バッグを効率よく伸張させ、排泄物を収容するバッグが、臀部及び／又は脚などの着用者の身体により押圧される時に排泄物の漏れを防止することは、排泄物処理デバイスにとって必須の機能である。ＰＣＴ国際公開特許ＷＯ００／００１１３に開示されたバッグは、バッグの着用者に面する部分に複数の折り目を有するので、排泄物がバッグに収容されると垂直に伸張するが、バッグの衣類に面する部分は伸張構造を備えない。この構造において、衣類に面する部分は、バッグが着用者の身体により押圧される時に、着用者に面する部分の前方に完全に伸張することができる。故に、バッグが、着用者の身体に押圧される場合、衣類に面する部分は、着用者に面する部分が完全に伸張するのを妨げることができる。これは、衣類に面する部分の伸張性が、着用者に面する部分の伸張性よりも大きくないからである。上述のように、可撓性バッグが着用者の身体によって押圧されても、排泄物の漏れを防止するために確実にそのバッグが伸張する方法が、上記公報のいずれにも開示されていない。故に、既存の技術では、本発明の全ての利点及び利益を得ることはできない。
【０００７】
（発明の概要）
本発明は、長手方向中心線と、横断方向中心線とを有し、排泄物を収容する可撓性バッグと、着用者の身体にデバイスを付着させる接着フランジとを備える使い捨て排泄物処理デバイスに関する。可撓性バッグは、着用者に面する部分と、衣類に面する部分とを有する。着用者に面する部分は、接着フランジによって取り囲まれた開口を有する。使い捨て排泄物処理デバイスは、可撓性バッグが排泄物を収容する時、可撓性バッグの衣類に面する部分の伸張性が、可撓性バッグの着用者に面する部分の伸張性よりも大きいことを特徴とする。
【０００８】
（発明の詳細な説明）
引用された参照文献はいずれも、全ての内容が参考として本明細書に組み込まれる。いかなる参照文献の引用も、特許請求されている本発明に対する先行技術としての可用性を限定するものではない。
最初に、読者の本発明に対する理解を補うため、いくつかの用語の定義を行う。
【０００９】
用語「備える」は、最終結果に影響をもたらさないその他の工程及びその他の成分を加えることができることを意味する。この用語は、用語「〜から成る」及び「本質的に〜から成る」を包含する。本明細書で使用する用語「使い捨て」は、一般に、洗濯、又は別の方法で修復若しくは再使用することを意図しないデバイスを説明する（即ち、１回使用したら廃棄し、好ましくは、リサイクルし、堆肥化し、又は環境に適合する別の方法で処理することを意図する）。本明細書で使用する用語「不織布」は、連結又は接合によって結合した繊維でできた布地であって、織ったり、編んだり、フェルト加工するなどの方法で製造されていない布地を指す。（本明細書で使用する用語「布地」は、不織布ウェブ、織布、又はその他の布地を指すことができる。）本明細書で使用する用語「長手方向」は、使い捨て排泄物処理デバイスを着用して起立している着用者を左及び右半身に分割する垂直面に対して、概ね一直線に（例えば、ほぼ平行に）配置した使い捨て排泄物処理デバイス面の線、軸、又は方向を指す。本明細書で使用する用語「横断方向」又は「横方向」は、互換性があり、長手方向にほぼ垂直の使い捨て排泄物処理デバイスの面内に位置する線、軸、又は方向を指す。本明細書で使用する用語「多面体」は、四面体、五面体、六面体、八面体、立方体、角柱、角錐、及びこれらの複合形状などの４つ以上の平面によって形成された三次元形状を指す。本発明を具体的に説明し、明確に発明を請求する請求項が本明細書には記載されるが、本発明は、添付図面と合わせて説明される好ましい実施形態によって更に理解が深まるものと考えられ、図面中で同様の参照番号は、同一の要素を指定するために用いられている。
【００１０】
ここで、図１Ａ〜図１Ｅを参照すると、本発明の使い捨て排泄物処理デバイスの好ましい実施形態が示されている。図１Ａに示すように、使い捨て排泄物処理デバイス（１００）は、長手方向中心線（Ｌ１）と、横断方向中心線（Ｔ１）の二本の中心線を有する。使い捨て排泄物処理デバイス（１００）は、開口（１３０）を有するバッグ（１１０）と、その開口（１３０）を取り囲むフランジ（１２０）とを備える。
【００１１】
本明細書で使用するバッグ（１１０）は、尿及び／又は糞便などの排出された排泄物を収容する可撓性容器である。そのデバイスが寝たきりの患者用であるか、失禁に悩む活動的な患者用であるかなどの使用目的によって、バッグ（１１０）はあらゆる形状又は大きさにすることもできる。例えば、寝たきりの患者及び高齢の失禁患者は、一般には主として管状又は矩形に伸長するバッグを用いる。幼児であれ、成人であれ、より活動的な着用者用の排泄物処理デバイスは、好ましくは、身体の輪郭に沿い、着用者が通常の衣類の下で目立たぬように着用できるような解剖学的形状であるべきである。特に、好ましい形状は、三角形のバッグ、円錐形のバッグ、円錐台形のバッグ及び角錐形又は角錐台形のバッグなどの三次元形状のバッグである。更に、バッグ（１１０）は、伸張していない時は、ほぼ円形又はＴ字形であってもよい。図１Ａ〜図１Ｃに示す好ましい実施形態では、バッグ（１１０）は、複数の形状隅部を含むほぼ四面体である。
【００１２】
バッグ（１１０）は、好ましくは、多様な着用条件の下で、寝たきりでなく自由に活動する着用者が着用しても、十分な量の排泄物を捕集できるように設計される。バッグ（１１０）は、いかなる捕捉物質も安全に収容するように設計され、典型的には液体不透過性であるが、通気性であることができる。バッグは、使用時に破裂しない十分な強度を持つように設計される。
必要とするバッグ（１１０）の形状に応じて、バッグは、単一の物質片、又は多数の別個の物質片から製造されてもよく、これら別個の物質片は、同じであっても異なっていてもよく、それぞれの周辺で密閉される。
【００１３】
バッグ（１１０）は、１層又は複数の層、好ましくは２〜３層を備えることができる。典型的には少なくとも部分的に排泄物と接触するバッグの内側の層を内層と呼ぶ。典型的には少なくとも部分的に着用者の皮膚及び着用者の衣類と接触するバッグ（１１０）の最外層を外層と呼ぶ。バッグ素材の層は、バッグが液体不透過性であれば、どのような素材を用いてもよい。特にこの層は、不織布又はポリマーフィルムなどのいかなる素材を備えてもよい。好ましい実施形態において、層は、不織布層又はポリマーフィルムを備える積層体から形成されてもよい。バッグ（１１０）の外層は、好ましくは、不織布層を備える。不織布外層は、着用者の皮膚に起伏のある表面を呈するので、閉塞の問題が著しく軽減し、皮膚の健康状態が大いに改善される。好ましい一実施形態において、バッグ（１１０）は、２つの層を備える。好ましくは、外層は不織布層を備え、内層はフィルムを備える。これに代えて、バッグ（１１０）は、１枚のフィルム層と、２枚の不織布層の３層を備える。フィルムは、２枚の不織布層の間に挟まれてもよい。この層の順序により、着用者の皮膚との接触時に特に心地良い感覚を与えるきめの細かい繊維性構造が得られる。
【００１４】
適切な不織布層は、フェルト布、スパンレース布、流体ジェットによって絡まりあった布、エアレイド布、湿式不織布、乾式不織布、メルトブロウン布、短繊維カーディング布、スパンボンド布、ステッチボンド布、有孔布、及びこれらの組み合わせなどを含むことができる。バッグ（１１０）を構成する単一の不織布層又は複数の不織布層は、疎水性であっても、親水性であってもよい。例えば、バッグがフィルム層を備える場合、不織布層は親水性又は疎水性のいずれであってもよい。バッグがフィルム層を備えていなければ、好ましくは不織布層の少なくとも１枚は疎水性であるのがよい。バッグを確実に液体不透過性にするため、不織布層の両方を疎水性にすることが更に望ましい。通常、不織布層を、フッ素化学品又は他の疎水性仕上げ剤などの表面活性物質で処理し、必要な疎水性をもたらす。しかしながら、不織布層は、ホットメルト接着剤などの液体不透過性物質のコーティング、又はシリコンコーティング若しくはゴム、植物性ワックス、及び鉱物性ワックスなどその他の疎水性化合物のコーティングで同様に処理してもよいし、例えば、ナノ微粒子又はプラズマコーティング技法を使って、物理的に処理してもよい。また、触り心地の柔らかさを改善するために、不織布層を薬剤で処理することができる。この薬剤としては、植物油、動物油、合成油、シリコン油などが挙げられるが、これらに限定されない。これらの薬剤の存在は、着用者にべたべた感又は油っぽい感覚を与えずに、不織布にすべすべした絹様又はフランネル様の感触を与えることが既知である。また、陰イオン性、非陰イオン性、陽イオン性、及び非陽イオン性の界面活性剤を含む界面活性物質を加えて、柔軟性及び表面の滑らかさを更に高めてもよい。更に、所望の治療効果又は保護皮膜のローション効果をもたらすために、不織布層にローションを含浸させてもよい。ローションコーティングは、通常の接触や着用者の動き及び／又は体から発せられる熱により、着用者の皮膚に移り得る。一般的に、ローションの形態での鉱物油は、着用者の皮膚に滑らかな保護コーティングを与える際に効果的なものとして認知されている。不織布層に、固体油相のクリーム製剤を含浸させることや、例えば、ベビーオイルを含む、圧力、温度、又は流体によって破ることのできるカプセルの配列を組み込むこともまた可能である。
【００１５】
適切なフィルム素材は、熱可塑性物質を含んでもよい。熱可塑性物質は、特にポリエチレン、ポリプロピレン、非晶性ポリオレフィンなどをはじめとする全ての種類のポリオレフィン；繊維又はポリマー結合剤を含む融解可能な成分を含有する物質（セルロース−木材パルプ、綿、黄麻、麻布などの天然繊維）；ファイバーグラス、レーヨン、ポリエステル、ポリオレフィン、アクリル、ポリアミド、アラミド、ポリテトラフルオロエチレン金属、ポリイミドなどの合成繊維；ハイメルト／ローメルトの２成分から成るポリマー、コポリマーポリエステル、ポリ塩化ビニル、ポリビニルアセテート／塩化コポリマー、コポリマーポリアミド、いくつかの構成物質が融解可能でないブレンドを含む物質などの結合剤；エクソン・ケミカル社（ＥＸＸＯＮ Ｃｈｅｍｉｃａｌ Ｃｏ．）（米国イリノイ州）がエグゼア（ＥＸＸＡＩＲＥ）という名前で供給する微小多孔性フィルム、又は三井化学（Ｍｉｔｓｕｉ Ｃｈｅｍｉｃａｌ Ｃｏ．）（日本）がエスポアール（ＥＳＰＯＩＲ）ＮＯという名前で供給する微小多孔性フィルムなどをはじめとする空気及び蒸気透過性物質；並びにフランスのデュポン（ＤｕＰｏｎｔ）から入手可能なハイトレル（Ｈｙｔｒｅｌ）（商標）、及びエルフ・アトケム（ＥＬＦ Ａｔｏｃｈｅｍ）から入手可能なぺバックス（Ｐｅｂａｘ）（商標）などのモノリシック構造の通気可能物質から選択することができる。好ましい実施形態において、着用者の身体から出る水蒸気が捕捉されて液化し、それにより使用開始から短期間で暑くじっとりとした不快な状態が生じるという問題を回避するために、いかなる層に含まれるフィルムも、空気などの気体及び水蒸気などの蒸気に透過性であるのが好ましい。
【００１６】
図１Ａ〜図１Ｅに示す実施形態において、バッグ（１１０）は、好ましくは、隅部（１４０）を含む三次元形状をなす。好ましくは、バッグ（１１０）は、ほぼ四面体形状であると共に、４つの表面（１５１）、（１５２）、（１５３）及び（１５４）を有する。更に、バッグ（１１０）は、着用者に面する部分（１１１）と、衣類に面する部分（１１２）の２つの部分を有する。着用者に面する部分（１１１）は、開口（１３０）を備えると共に、排泄物処理デバイス（１００）が着用される時に、一般的には、着用者に向かって配向されるバッグ（１１０）の一部分である。着用者に面する部分（１１１）は、好ましくは、平面様の表面（１５１）のみを備える。衣類に面する部分（１１２）は、排泄物処理デバイス（１００）が着用される時に、一般的には、着用者から離れて配向され、衣類を着用している場合には衣類に向かって配向されるバッグ（１１０）の一部分である。衣類に面する部分（１１２）は、表面（１５２）、（１５３）及び（１５４）を備えるが、開口（１３０）は有さない。更に、衣類に面する部分（１１２）は、着用者に面する部分（１１１）の反対側に配置される隅部（１４０）を備える。
【００１７】
バッグ（１１０）は、好ましくは、衣類に面する部分（１１２）上に少なくとも１つの折り目を有する。折り目の数は、バッグの構成、その大きさ及び素材などの状況に、明らかに左右される。図１Ｄに示す実施形態において、衣類に面する部分（１１２）は、折り目（１６０）に沿って曲折されている。バッグ（１１０）は、排泄物を収容すると、垂直に伸張して三次元形状をなすので、より心地よい着用感を活動する着用者に確実に与え、必要ならば使用中に更なる格納能力を付与する。好ましくは、バッグ（１１０）が曲折されている時、折り目（１６０）は、図１Ｅに示すように、開口（１３０）を横断して配置されてもよい。これにより、開口（１３０）に向かって排出された排泄物は、折り目（１６０）に直接到達し、それを押してバッグ（１１０）を垂直に伸張させ、迅速にバッグ（１１０）の内部に進入することができる。これに代えて、デバイス（１００）が着用者に装着された後、隅部（１４０）を引っ張ることで、容易にバッグ（１１０）を伸張させて三次元形状とすることができる。
【００１８】
衣類に面する部分（１１２）の伸張性は、着用者に面する部分（１１１）の伸張性よりも大きい。これは、衣類に面する部分（１１２）は折り目（１６０）を有するので、バッグ（１１０）は、伸張時に三次元形状をなすが、着用者に面する部分（１１１）は、１つの平面様の表面（１５１）しか備えていないからである。この構造により、排泄物を収容するバッグ（１１０）が、臀部及び／又は脚などの着用者の身体に押圧されても、バッグ（１１０）は十分に伸張することができる。従って、バッグ（１１０）内の排泄物の漏れを効果的に防止することができる。衣類に面する部分（１１２）は、伸張性を呈するべく、エラストマー、ゴム及びポリウレタンなどの弾性材を含んでもよい。バッグ（１１０）が排泄物を収容する時に滑らかに伸張する限り、衣類に面する部分（１１２）は、折り目（１６０）のない弾性材を含んでもよいし、又は、弾性材を含む衣類に面する部分（１１２）は、同様に折り目（１６０）を有してもよい。
【００１９】
図１Ａ〜図１Ｅに示すように、フランジ（１２０）（即ち、接着フランジ）は、着用者の身体にデバイス（１００）を付着させるべく、開口（１３０）の周辺に設けられる。接着フランジ（１２０）は、図１Ｂ及び図１Ｃに示すように、着用者に面する側（１２４）と、これとは反対の衣類に面する側（１２５）とを有する。好ましい実施形態では、これらは、接着フランジ（１２０）の実質的に平らな２つの主要な表面である。接着フランジ（１２０）は、そのデバイスが対象とする着用者群に応じて、いかなる大きさで設けられてもよい。接着フランジ（１２０）は、いかなる形状で設けられてもよく、好ましくは、対称であって僅かに楕円の形状を呈する。
【００２０】
図１Ｂ及び図１Ｃに示す実施形態において、接着フランジ（１２０）は、図１Ｃに示すように、不織布層（１２１）と、ポリウレタン層（１２２）と、接着層（１２３）とを備えてもよい。この実施形態において、不織布層（１２１）とポリウレタン層（１２２）の両方が、接着層（１２３）を支持する基材として設けられてもよいし、又は、基材が、これらの層のいずれかを備えてもよい。特に、デバイス（１００）の使用中、デバイス（１００）を着用者の動きに適合すべく、ポリウレタン層（１２２）を設けてもよい。
【００２１】
接着フランジ（１２０）は、そのフランジを容易に泌尿生殖器領域に配置すべく、柔軟で可撓性且つ可鍛性の物質から製造すべきである。更に、接着フランジ（１２０）は、疎水性物質から製造されることにより、尿が開口（１３０）を取り囲んでいる周辺と接触する場合に、尿をはじき、接着フランジ（１２０）の外縁に逃さないようにしてもよい。接着性フランジ（１２０）を通気性素材から構成し、着用者の身体から出る水蒸気が捕捉されて液化し、それにより使用開始から短期間で暑くじっとりとした不快な状態が生じるという問題を回避することもまた望ましい。接着フランジ（１２０）の適切な素材としては、不織布材、及び熱可塑性の連続気泡発泡体などの発泡体が挙げられるが、これらに限定されない。約０．５〜１０ミリメートル（好ましくは、約２ミリメートル）の一般的な範囲内の厚みを有する連続気泡発泡体が、特に効果的であることが分かっている。他の発泡材又はこのような発泡体の上述した特性（すなわち、柔軟性、順応性、伸張性、収縮性、通気性、及び疎水性）を有する他の適切なプラスチックシート材を使用してもよい。
【００２２】
接着フランジ（１２０）の着用者に面する側（１２４）は、図１Ｂ及び図１Ｃに示すように、接着層（１２３）などの身体適合性の接着剤を含む。接着層（１２３）は、デバイス（１００）を着用者の身体に固定するのに使用される。図１Ｂ及び図１Ｃに示す実施形態において、使用前に汚染されないように接着層（１２３）を保護すべく、接着層（１２３）を、好ましくは、シリコン処理紙又はフィルムなどの剥離フィルム（Ｒ１）で被覆する。製造上の理由から、開口（１３０）が剥離フィルム（Ｒ１）全体にわたって形成される場合、デバイス（１００）を使用する前に、異物がバッグ（１１０）に進入しないように、図１Ｃに破線で示す第二の剥離フィルム（Ｒ２）を追加してもよい。接着層（１２３）は、フランジの着用者に面する表面全体を被覆してもよく、これに代えて、接着剤が含まれていないか、又は、不活性状態若しくは被覆状態の接着剤を含有する少なくとも１つの非接着部分を有してもよい。
【００２３】
好ましくは、着用者の身体からデバイス（１００）を取り外し易くするために、接着フランジ（１２０）上にタブ（Ｔ）が適用される。タブ（Ｔ）は、ユーザが着用者の身体からデバイス（１００）を取り外すのに役立つ。更に、タブ（Ｔ）は、図１Ｂ及び図１Ｃに示すように、不織布層（１２１）及び／又はポリウレタン層（１２２）を備えてもよい。
デバイスを着用者の泌尿生殖器領域に装着するのに、親水コロイド接着剤及びヒドロゲル接着剤などの医学的に承認されたいかなる耐水性感圧接着剤も接着層（１２３）に使用してもよい。敏感な泌尿生殖器領域における着用者の皮膚にフランジを固定する一方で、比較的痛みを伴わずに着脱可能にするための所望の接着特性を付与する上で特に効果的な接着剤は、三次元マトリクスを形成するための可塑剤を用いる架橋ポリマーから形成された親水性ヒドロゲルである。
【００２５】
接着剤は、スロットコーティング、スパイラル、又はビード塗布又は転写などの当該技術分野において既知の任意手段により、接着フランジ（１２０）の着用者に面する側（１２４）に塗布され得る。通常、粘着剤は、想定される最終用途に応じ、坪量２０ｇ／ｍ２〜２５００ｇ／ｍ２、好ましくは５００ｇ／ｍ２〜２０００ｇ／ｍ２、更に好ましくは７００ｇ／ｍ２〜１５００ｇ／ｍ２で塗布する。例えば、小児用尿処理デバイスの接着剤の量は、活動的な成人失禁患者用に設計した尿処理デバイスの場合よりも少なくてよい。
接着フランジ（１２０）は、接着剤などの当業者に既知の手段により、着用者に面する部分（１１１）に取付けられる。
【００２６】
ここで、図２Ａ〜図２Ｄを参照すると、本発明の使い捨て排泄物処理デバイスの別の好ましい実施形態が示されている。図２Ａに示すように、使い捨て排泄物処理デバイス（２００）は、長手方向中心線（Ｌ２）と、横断方向中心線（Ｔ２）の２本の中心線を有する。使い捨て排泄物処理デバイス（２００）は、開口（２３０）を有するバッグ（２１０）と、その開口（２３０）を取り囲むフランジ（２２０）とを備える。
【００２７】
図２Ａ〜図２Ｄに示す実施形態では、バッグ（２１０）が排泄物を収容する前のバッグ（２１０）の断面図は、好ましくは、逆向きのアルファベットの「Ｔ」字の形状である。更に、バッグ（２１０）は、好ましくは、図２Ｄに示すように伸張する時に三次元形状をなす。この実施形態において、バッグ（２１０）は、３つの表面（２５１）、（２５２）、（２５３）を有する。更に、バッグ（２１０）は、着用者に面する部分（２１１）と、衣類に面する部分（２１２）の２つの部分を有する。着用者に面する部分（２１１）は、開口（２３０）を備えると共に、排泄物処理デバイス（２００）が着用される時に、一般的には、着用者に向かって配向されるバッグ（２１０）の一部分である。この実施形態において、バッグ（２１０）が伸張する前に、着用者に面する部分（２１１）が、好ましくは、平面様の表面（２５１）のみを備える。更に、バッグ（２１０）が、図２Ｄに示すように完全に伸張すると、着用者に面する部分（２１１）は、実質的に三次元形状をなす。衣類に面する部分（２１２）は、排泄物処理デバイス（２００）が着用される時に、一般的には、着用者から離れて配向され、衣類を着用している場合には衣類に向かって配向されるバッグ（２１０）の一部分である。衣類に面する部分（２１２）は、表面（２５２）及び（２５３）を備えるが、開口（２３０）は有さない。更に、衣類に面する部分（２１２）は、着用者に面する部分（２１１）の反対側に２つの隅部（２４０、２４０）を有する。
【００２８】
バッグ（２１０）は、好ましくは、衣類に面する部分（２１２）上に少なくとも１つの折り目を有する。折り目の数は、バッグの構成、その大きさ及び素材などの状況に、明らかに左右される。図２Ｃ及び図２Ｄに示す実施形態において、衣類に面する部分（２１２）は、折り目（２６０）に沿って曲折されている。バッグ（２１０）は、排泄物を収容すると、垂直に伸張して三次元形状をなすので、活動する着用者により心地よい着用感を確実に与え、必要ならば使用中に更なる格納能力を付与する。好ましくは、バッグ（２１０）が曲折されている時、折り目（２６０）は、図２Ａに示すように、開口（２３０）を横断して配置されてもよい。これにより、開口（２３０）に向かって排出された排泄物は、折り目（２６０）に直接到達し、それを押してバッグ（２１０）を垂直に伸張させ、迅速にバッグ（２１０）の内部に進入することができる。これに代えて、デバイス（２００）が着用者に装着された後、隅部（２４０）を引っ張ることで、容易にバッグ（２１０）を伸張させて三次元形状とすることができる。
【００２９】
衣類に面する部分（２１２）の伸張性は、着用者に面する部分（２１１）の伸張性よりも大きい。これは、衣類に面する部分（２１２）は折り目（２６０）を有するので、バッグ（２１０）は伸張時に三次元形状をなすが、着用者に面する部分（２１１）は１つの平面様の表面（２５１）しか備えていないからである。この構造により、排泄物を収容するバッグ（２１０）が、臀部及び／又は脚などの着用者の身体に押圧されても、バッグ（２１０）は十分に伸張することができる。従って、バッグ（２１０）内の排泄物の漏れを効果的に防止することができる。この実施形態においては、バッグ（２１０）が伸張すると、着用者に面する部分（２１１）も伸張して三次元形状をなす。これにより、バッグ（２１０）は、着用者の身体から離れた方向へ更に伸張することができる。衣類に面する部分（２１２）は、伸張性を呈するべく、エラストマー、ゴム及びポリウレタンなどの弾性材を含んでもよい。バッグ（２１０）が排泄物を収容する時に滑らかに伸張する限り、衣類に面する部分（２１２）は、折り目（２６０）のない弾性材を含んでもよいし、又は、弾性材を含む衣類に面する部分（２１２）は、同様に折り目（２６０）を有してもよい。
【００３０】
ここで、図３Ａ〜図３Ｅを参照すると、本発明の使い捨て排泄処理デバイスの別の好ましい実施形態が示されている。図３Ａに示すように、使い捨て排泄物処理デバイス（３００）は、長手方向中心線（Ｌ３）と、横断方向中心線（Ｔ３）の２本の中心線を有する。使い捨て排泄物処理デバイス（３００）は、開口（３３０）を有するバッグ（３１０）と、その開口（３３０）を取り囲むフランジ（３２０）とを備える。
【００３１】
図３Ａ〜図３Ｅに示す実施形態において、バッグ（３１０）は、好ましくは、２つの隅部（３４０、３４０）を含む三次元形状をなす。好ましくは、バッグ（３１０）は、図３Ｄ及び図３Ｅに示すように、実質的に三角柱形状であり、５つの表面（３５１）、（３５２）、（３５３）、（３５４）及び（３５５）を有する。更に、バッグ（３１０）は、着用者に面する部分（３１１）と、衣類に面する部分（３１２）の２つの部分を有する。着用者に面する部分（３１１）は、開口（３３０）を備えると共に、排泄物処理デバイス（３００）が着用される時に、一般的には、着用者に向かって配向されるバッグ（３１０）の一部分である。この実施形態において、バッグ（３１０）が伸張する前に、着用者に面する部分（２１１）が、好ましくは、平面様の表面（３５１）のみを備える。衣類に面する部分（３１２）は、排泄物処理デバイス（３００）が着用される時に、一般的には、着用者から離れて配向され、衣類を着用している場合には衣類に向かって配向されるバッグ（３１０）の一部分である。衣類に面する部分（３１２）は、表面（３５２）、（３５３）、（３５４）及び（３５５）を備えるが、開口（３３０）は有さない。更に、隅部（３４０、３４０）は、着用者に面する部分（３１１）の反対側にある。
【００３２】
バッグ（３１０）は、好ましくは、衣類に面する部分（３１２）上に少なくとも１つの折り目を有する。折り目の数は、バッグの構成、その大きさ及び素材などの状況に、明らかに左右される。図３Ｃ及び図３Ｄに示す実施形態において、衣類に面する部分（３１２）は、折り目（３６０）に沿って曲折されている。バッグ（３１０）は、排泄物を収容すると、垂直に伸張して三次元形状をなすので、より心地よい着用感を活動する着用者に確実に与え、必要ならば使用中に更なる格納能力を付与する。好ましくは、バッグ（３１０）が曲折されている時、折り目（３６０）は、図２Ａに示すように、開口（３３０）を横断して配置されてもよい。これにより、開口（３３０）に向かって排泄された排泄物は、折り目（３６０）に直接到達し、それを押してバッグ（３１０）を垂直に伸張させ、迅速にバッグ（３１０）の内部に進入することができる。これに代えて、デバイス（３００）が着用者に装着された後、隅部（３４０）を引っ張ることで、容易にバッグ（３１０）を伸張させて三次元形状とすることができる。
【００３３】
衣類に面する部分（３１２）の伸張性は、着用者に面する部分（３１１）の伸張性よりも大きい。これは、衣類に面する部分（３１２）は折り目（３６１）、（３６２）及び（３６３）を有するので、バッグ（３１０）は伸張時に三次元形状をなすが、着用者に面する部分（３１１）は１つの平面様の表面（３５１）しか備えていないからである。この構造により、排泄物を収容するバッグ（３１０）が、臀部及び／又は脚などの着用者の身体に押圧されても、バッグ（３１０）は十分に伸張することができる。従って、バッグ（３１０）内の排泄物の漏れを効果的に防止することができる。更に、複数の折り目（３６１）、（３６２）及び（３６３）は、衣類に面する部分（３１２）上に形成されるので、衣類に面する部分（３１２）、即ちバッグ（３１０）は、図３Ｅに示すようにＺ方向に十分に伸張できる。バッグ（３１０）がＺ方向に伸張することにより、バッグ（３１０）が着用者の身体に押圧されるという可能性が低減する。衣類に面する部分（３１２）は、伸張性を呈するべく、エラストマー、ゴム及びポリウレタンなどの弾性材を含んでもよい。バッグ（３１０）が排泄物を収容する時に滑らかに伸張する限り、衣類に面する部分（３１２）は、折り目（３６０）のない弾性材を含んでもよいし、又は弾性材を含む衣類に面する部分（３１２）は、同様に折り目（３６０）を有してもよい。
【００３４】
ここで、図４Ａ〜図４Ｅを参照すると、本発明の使い捨て排泄処理デバイスの別の好ましい実施形態が示されている。図４Ａに示すように、使い捨て排泄物処理デバイス（４００）は、長手方向中心線（Ｌ４）と、横断方向中心線（Ｔ４）の２本の中心線を有する。使い捨て排泄物処理デバイス（４００）は、開口（４３０）を有するバッグ（４１０）と、その開口（４３０）を取り囲むフランジ（４２０）とを備える。更に、バッグ（４１０）は、着用者に面する部分（４０１）と、衣類に面する部分（４０２）の２つの部分を有する。着用者に面する部分（４０１）は、開口（４３０）を備えると共に、排泄物処理デバイス（４００）が着用される時に、一般的には、着用者に向かって配向されるバッグ（４１０）の一部分である。衣類に面する部分（４０２）は、排泄物処理デバイス（４００）が着用される時に、一般的には、着用者から離れて配向され、衣類を着用している場合には、衣類に向かって配向されるバッグ（４１０）の一部分である。
【００３５】
図４Ａ〜図４Ｅに示す実施形態において、バッグ（４１０）は、好ましくは、着用者に面する部分（４０１）に配置された液体不透過性の着用者に面するシート（４１１）と、衣類に面する部分（４０２）に配置された液体不透過性の衣類に面するシート（４１２）とを備える。着用者に面するシート（４１１）と衣類に面するシート（４１２）の両方は、好ましくは、ポリエチレン／ポリプロピレンフィルムと、このフィルムの外面上に積層された不織布とを備える。
【００３６】
着用者に面するシート（４１１）及び衣類に面するシート（４１２）は、曲折されている（留められている）ので、バッグ（４１０）は、使用時に垂直に伸張して三次元形状をなすことができ、それにより、活動する着用者により心地よい着用感を確実に与え、必要ならば使用中に更なる格納能力を付与する。着用者に面するシート（４１１）及び衣類に面するシート（４１２）は、好ましくは、折り目（４６１、４６２）を有し、これらの折り目は、図４Ａ〜図４Ｄのそれぞれに示すように、折り目が伸びる方向とある角度をなす方向に沿って着用者に面するシートを切り取った時の断面図において、アルファベットの「Ｚ」字のような形状を有する。こうした折り目を、本明細書では「Ｚ型折り目」と呼ぶ。図４Ａ〜図４Ｄに示す実施形態において、着用者に面するシート（４１１）は、好ましくは、横断方向（Ｘ）に配向された１つのＺ型折り目（４６１）を有し、更に、衣類に面するシート（４１２）は、好ましくは、横断方向（Ｘ）に配向された１つのＺ型折り目（４６２）を有する。これに代えて、このＺ型折り目は、横断方向（Ｘ）に対してある角度をなして配向されてもよい。衣類に面するシート（４１２）はまた、図４Ｄに示すように、長手方向（Ｙ）に配向された２つのＺ型折り目（４６３）を有する。好ましくは、これら２つのＺ型折り目（４６３）は、長手方向中心線（Ｌ４）をはさんで向かい合わせに、且つ長手方向中心線（Ｌ４）に平行に配置される。これに代えて、これら２つのＺ型折り目（４６３）は、長手方向中心線（Ｌ４）に対してある角度をなして配置されてもよい。これら２つの向かい合わせのＺ型折り目の組み合わせは、図４Ｄ及び図４Ｅに示すように、折り目が伸びる方向とある角度をなす方向に沿って着用者に面するシートを切り取った時の断面図において、ギリシア文字の「Ω」のような形状を有する。こうした２つの向かい合わせのＺ型折り目の組み合わせを、本明細書では「Ω型折り目（オメガ型折り目）」と呼ぶ。故に、この実施形態における着用者に面するシート（４１１）は、図４Ａに示すように、１つのＺ型折り目（４６１）を備え、衣類に面するシート（４１２）は、図４Ｄに示すように、１つのＺ型折り目（４６２）と、１つのオメガ型折り目（４６３）とを備える。着用者に面するシート（４１１）及び衣類に面するシート（４１２）が、使用中に垂直に伸張して三次元形状をなす限り、着用者に面するシート（４１１）のＺ型折り目及び／又はオメガ型折り目の数は、図４Ａ及び／又は図４Ｄに示す実施形態に制限されない。
以後用いる用語「Ｚ型折り目」は、図４Ａ及び図４Ｄに示す横断方向（Ｘ）に配向された折り目を指し、以後用いる用語「オメガ型折り目」は、図４Ｄに示す長手方向（Ｙ）に配向された１組の向かい合うＺ型折り目を指す。
【００３７】
図４Ａ〜図４Ｅに示す実施形態によれば、Ｚ型折り目（４６２）及びオメガ型折り目（４６３）は、衣類に面する部分（４０２）上に形成される。この構造により、排泄物を収容するバッグ（４１０）は、臀部及び／又は脚などの着用者の身体に押圧されても、バッグ（４１０）は十分に伸張することができる。従って、バッグ（４１０）内の排泄物の漏れを効果的に防止することができる。好ましくは、衣類に面する部分（４０２）上のＺ型折り目及び／又はオメガ型折り目の数は、着用者に面する部分（４０１）上のＺ型折り目及び／又はオメガ型折り目の数よりも多く、又は少なくとも１つのＺ型折り目又はオメガ型折り目が、衣類に面する部分（４０２）上に形成される限り、Ｚ型折り目及び／又はオメガ型折り目は、着用者に面する部分（４０１）上には形成されなくてもよい。これらの構造は、衣類に面する部分（４０２）の伸張性が、着用者に面する部分（４０１）の伸張性よりも大きいことを意味する。故に、これらの構造により、排泄物を収容するバッグ（４１０）は、臀部及び／又は脚などの着用者の身体に押圧されても、バッグ（４１０）は迅速に伸張することができる。これは、バッグ（４１０）が、排泄物を収容する時に、衣類に面する部分（４０２）が、着用者に面する部分（４０１）よりも、より迅速／効果的に伸張するからである。バッグ（４１０）が排泄物を収容する時に、衣類に面する部分（４０２）が迅速に伸張できる限り、折り目（４６１）、（４６３）、（４６２）及び／又は（４６４）の数は、バッグの構成、その大きさ及び素材などの状況に、明らかに左右される。
【００３８】
図４Ａに示すように、着用者に面するシート（４１１）は、尿及び／又は糞便などの排泄物を、バッグの空間内に格納する前に、身体から受け取る開口（４３０）を備える。開口（４３０）は、フランジ（４２０）によって取り囲まれていると共に、円形、楕円形、ハート型などのいかなる形状又は大きさで設けられてもよく、対称でも非対称でもよく、好ましくは、この開口は、長手方向又は横断方向のどちらかに長い形状を呈する。
【００３９】
図４Ａ〜図４Ｃ、及び図４Ｅに示すように、フランジ（４２０）（即ち、接着フランジ）は、着用者の身体（Ｂ）にデバイス（４００）を付着させるべく、開口（４３０）の周辺に設けられる。接着フランジ（４２０）は、図４Ｃ及び図４Ｅに示すように、着用者に面する側（４２４）と、これとは反対の衣類に面する側（４２５）とを有する。好ましい実施形態では、これらは、接着フランジ（４２０）の実質的に平らな２つの大きな表面である。接着フランジ（４２０）は、そのデバイスが対象とする着用者群に応じて、いかなる大きさで設けられてもよい。接着フランジ（４２０）は、いかなる形状で設けられてもよく、好ましくは、対称であって僅かに楕円の形状を呈する。
【００４０】
図４Ａ〜図４Ｅに示す実施形態において、接着フランジ（４２０）は、図４Ｃに示すように、着用者に面するシート（４１１）から着用者の身体（Ｂ）へ順番に、不織布層（４２１）と、ポリウレタン層（４２２）と、接着層（４２３）とを備えてもよい。この実施形態において、不織布層（４２１）とポリウレタン層（４２２）の両方を、接着層（４２３）を支持する基材として設けてもよく、又は基材が、これらの層のいずれかを備えてもよい。特に、デバイス（４００）の使用中、デバイス（４００）を着用者の動きに適合すべく、ポリウレタン層（４２２）を設けてもよい。
【００４１】
接着フランジ（４２０）の着用者に面する側（４２４）は、図４Ｂ、図４Ｃ及び図４Ｅに示すように、接着層（４２３）などの身体適合性の接着剤を含む。接着層（４２３）は、デバイス（４００）を着用者の身体（Ｂ）に固定するのに使用される。図４Ａ〜図４Ｅに示す実施形態において、使用前に汚染されないように接着層（４２Ｃ）を保護すべく、接着層（４２３）を、好ましくは、シリコン処理紙又はフィルムなどの剥離フィルム（Ｒ３）で被覆する。製造上の理由から、開口（４３０）が剥離フィルム（Ｒ３）全体にわたって形成される場合、デバイス（４００）を使用する前に、異物がバッグ（４１０）に進入しないように、図４Ｂに破線で示す第二の剥離フィルム（Ｒ４）を追加してもよい。接着層（４２３）は、フランジの着用者に面する表面全体を被覆してもよく、これに代えて、少なくとも１つの、好ましくは２〜６の非接着部分を有してもよい。これらの部分は、接着剤が含まれていないか、又は不活性状態若しくは被覆状態の接着剤を含有してもよい。
【００４２】
好ましくは、着用者の身体（Ｂ）からデバイス（４００）を取り外し易くするために、接着フランジ（４２０）上にタブ（Ｔ）が適用される。タブ（Ｔ）は、ユーザが、着用者の身体からデバイス（４００）を取り外すのに役立つ。
接着フランジ（４２０）は、接着剤などの当業者に既知の手段により、着用者に面する部分（４１１）に取付けられる。
【００４３】
吸収性物質（４５０）は、バッグ（４１０）内に含有される。即ち、吸収性物質（４５０）は、図４Ｃ及び４Ｅに示すように、着用者に面するシート（４１１）と衣類に面するシート（４１２）の間に配置される。吸収性物質（４５０）は、適切ないかなる様式でバッグ（４１０）に配置されてもよい。例えば、吸収性物質（４５０）は、バッグ（４１０）内にゆるく配設されてもよく、衣類に面するシート（４１２）の内側に固定されてもよい。バッグ（４１０）の内層に吸収性物質（４５０）を固定するために、吸収性物質を不織布及びフィルム基材に固定するいかなる既知の技術を使用してもよい。吸収性物質（４５０）はまた、所望するいかなる形状又は構成（例えば、矩形、楕円形、円形など）になるように配設されてもよい。吸収性物質（４５０）は、尿などの液体を吸収し保持できる、いかなる吸収性物質を含んでもよい。吸収性物質（４５０）は、使い捨ておむつ、及び一般にエアフェルトと呼ばれる粉砕木材パルプなどの他の吸収性物品において一般に使用される広範な液体吸収性物質を含んでもよい。その他の適切な吸収性物質の例としては、縮緬セルロース塊；コフォームを含むメルトブローポリマー；化学的に剛化、変性、又は架橋されたセルロース繊維、捲縮ポリエステル繊維などの合成繊維；ピートモス；ティッシュラップ及びティッシュラミネートを含むティッシュ；吸収性発泡体；吸収性スポンジ；超吸収性ポリマー；超吸収性ヒドロゲル形成ポリマー物質；吸収性ゲル化物質；又はその他の既知のいかなる吸収性物質、又はこれらの物質の組み合わせ若しくは混合物が挙げられる。また、吸収性部材の構成及び構造は様々であってよく（例えば、吸収性部材は変動するキャリパーゾーン（例えば、中央部分に厚みが出るような形状など）、親水性勾配、超吸収性勾配を有してもよく、１つ以上の層又は構造からなっていてもよい。
【００４４】
この実施形態において、デバイス（４００）はまた、図４Ｃ及び図４Ｅに示すように、吸収性物質（４５０）を被覆する液体透過性トップシート（４７０）を有する。液体不透過性の着用者に面するシート（４１１）、液体透過性トップシート（４７０）及び液体不透過性の衣類に面するシート（４１２）は、好ましくは、ヒートシールなどの当該技術分野において既知の手段により、デバイス（４００）の周辺縁（Ｅ）において結合される。
【００４５】
液体透過性トップシート（４７０）は、好ましくは、柔軟であり、柔らかな感触であって、着用者の皮膚を刺激しない。適切な液体透過性トップシート（４７０）を、織布材及び不織布材；孔あき成形熱可塑性フィルム、孔あきプラスチックフィルム、及びハイドロフォーミングされた熱可塑性フィルムなどのポリマー物質；多孔質発泡体；網状発泡体；網状熱可塑性フィルム；及び熱可塑性スクリムなどの広範な物質から製造してもよい。適切な織布材及び不織布材は、天然繊維（例えば、木材繊維又は綿繊維）、合成繊維（例えば、ポリエステル、ポリプロピレン、又はポリエチレン繊維のようなポリマー繊維）、又は天然繊維と合成繊維との組み合わせを含むことができる。液体透過性トップシート（４７０）は、好ましくは、吸収性物質（４５０）に吸収された体液（例えば、尿）が着用者の皮膚に触れないように、疎水性物質から製造される。しかしながら、着用者が排出した体液が、誤って液体透過性トップシート（４７０）上に堆積される場合に備え、少なくとも液体透過性トップシート（４７０）の上面は、液体が液体透過性トップシート（４７０）を通ってより迅速に移行するように、親水性に処理されてもよい。これは、体液が液体透過性トップシート（４７０）に吸い込まれ、吸収性物質（４５０）に吸収される代わりに、液体透過性トップシート（４７０）から溢れ出すという可能性を低減する。液体透過性トップシート（４７０）は、界面活性剤で処理されることによって親水性となり得る。液体透過性トップシート（４７０）を界面活性剤で処理する適切な方法としては、界面活性剤を液体透過性トップシート（４７０）物質に噴霧する方法、及びこの物質を界面活性剤に浸漬する方法が挙げられる。こうした処理と親水性の更に詳細な論考は、レイジング（Ｒｅｉｓｉｎｇ）らに対して１９９１年１月２９日に発行された「多層吸収性層を有する吸収性物品（Ａｂｓｏｒｂｅｎｔ Ａｒｔｉｃｌｅｓ ｗｉｔｈ Ｍｕｌｔｉｐｌｅ Ｌａｙｅｒ Ａｂｓｏｒｂｅｎｔ Ｌａｙｅｒｓ）」という名称の米国特許第４，９８８，３４４号、及びレイジング（Ｒｅｉｓｉｎｇ）らに対して１９９１年１月２９日に発行された「迅速に捕捉する吸収性コアを有する吸収性物品（Ａｂｓｏｒｂｅｎｔ Ａｒｔｉｃｌｅｓ ｗｉｔｈ Ｒａｐｉｄ Ａｃｑｕｉｒｉｎｇ Ａｂｓｏｒｂｅｎｔ Ｃｏｒｅｓ）」という名称の米国特許第４，９８８，３４５号に記載されている。あるいは、界面活性剤を繊維又は樹脂に染み込ませてもよく、トップシート（２８）は界面活性剤が染み込んだ繊維によって形成されてもよい。
【００４６】
図４Ａ〜図４Ｅに示す実施形態は、バッグに吸収性物質を含有する使い捨て排泄物処理デバイスに関するが、図５Ａ〜図５Ｃに示すように、バッグ（５１０）に吸収性物質を含有しない別の排泄物処理デバイス（５００）にも本発明を適用することができる。ここで、図５Ａ〜図５Ｃを参照すると、本発明の使い捨て排泄物処理デバイスの別の好ましい実施形態が示されている。
【００４７】
この実施形態において、デバイス（５００）は、図５Ａに示すように、長手方向中心線（Ｌ５）と、横断方向中心線（Ｔ５）とを有する。使い捨て排泄物処理デバイス（５００）は、開口（５３０）を有するバッグ（５１０）と、その開口（５３０）を取り囲むフランジ（５２０）とを備える。更に、バッグ（５１０）は、着用者に面する部分（５０１）と、衣類に面する部分（５０２）の２つの部分を有する。着用者に面する部分（５０１）は、開口（５３０）を備えると共に、排泄物処理デバイス（５００）が着用される時に、一般的には、着用者に向かって配向されるバッグ（５１０）の一部分である。衣類に面する部分（５０２）は、排泄物処理デバイス（５００）が着用される時に、一般的には、着用者から離れて配向され、衣類を着用している場合には、衣類に向かって配向されるバッグ（５１０）の一部分である。
【００４８】
図５Ａ〜図４Ｃに示す実施形態において、バッグ（５１０）は、好ましくは、着用者に面する部分（５０１）に配置された液体不透過性の着用者に面するシート（５１１）と、衣類に面する部分（５０２）に配置された液体不透過性の衣類に面するシート（５１２）とを備える。着用者に面するシート（５１１）と衣類に面するシート（５１２）の両方は、好ましくは、ポリエチレン／ポリプロピレンフィルムと、このフィルムの外面上に積層された不織布とを備える。液体不透過性の着用者に面するシート（５１１）及び液体不透過性の衣類に面するシート（５１２）は、好ましくは、ヒートシールなどの当該技術分野において既知の手段により、デバイス（５００）の周辺縁（Ｅ）において結合される。Ｚ型折り目（５６１）は、着用者に面するシート（５１１）上に形成される。更に、オメガ型折り目（５６２）は、衣類に面するシート（５１２）上に形成される。好ましくは、オメガ型折り目（５６２）を有する衣類に面する部分（５０２）の伸張性は、Ｚ型折り目（５６１）を有する着用者に面する部分（５０１）の伸張性よりも大きい。この構造により、排泄物を収容するバッグ（５１０）が、臀部及び／又は脚などの着用者の身体に押圧されても、バッグ（５１０）は迅速に伸張することができる。デバイス（５００）は、図４Ａ〜図４Ｅに示すような上述の使い捨て排泄物処理デバイス（４００）と違って、吸収性物質を有さない。デバイス（５００）は、吸収性物質がバッグ（５１０）内に設けられていないので、排泄物を収容する大きな収容能力を備えたバッグを有することができる。この構造は、糞便などの高粘度の排泄物を捕捉し直ちに収容するのに有用である。
【００４９】
本発明の特定の実施形態を説明し記載したが、本発明の趣旨及び範囲から逸脱することなく、他の多様な変更及び修正が可能であることは、当業者に明らかであろう。従って、付随する請求項は、本発明の範囲内にあるそのような全ての変更と修正に及ぶことを意図する。
【図面の簡単な説明】
【図１Ａ】使い捨て排泄物処理デバイスの一実施形態の平面図である。
【図１Ｂ】図１Ａの使い捨て排泄物処理デバイスの側面図である。
【図１Ｃ】図１Ａの線Ｉ〜Ｉに沿った断面図である。
【図１Ｄ】図１Ａ〜図１Ｃに示す使い捨て排泄物処理デバイスを伸張するプロセスを示す概略図である。
【図１Ｅ】図１Ａ〜図１Ｃに示す使い捨て排泄物処理デバイスが曲折された状態の平面図である。
【図２Ａ】使い捨て排泄物処理デバイスの別の実施形態の平面図である。
【図２Ｂ】図２Ａの使い捨て排泄物処理デバイスの側面図である。
【図２Ｃ】図２Ａの線ＩＩ〜ＩＩに沿った断面図である。
【図２Ｄ】図２Ａ〜図１Ｃに示す使い捨て排泄物処理デバイスを伸張するプロセスを示す概略図である。
【図３Ａ】使い捨て排泄物処理デバイスの別の実施形態の平面図である。
【図３Ｂ】図３Ａの使い捨て排泄物処理デバイスの側面図である。
【図３Ｃ】図３Ａの線ＩＩＩ〜ＩＩＩに沿った断面図である。
【図３Ｄ】図３Ａ〜図３Ｃに示す使い捨て排泄物処理デバイスを伸張するプロセスを示す概略図である。
【図３Ｅ】図３Ａ〜図３Ｃに示す使い捨て排泄物処理デバイスが伸張した状態の平面図である。
【図４Ａ】使い捨て排泄物処理デバイスの別の実施形態の平面図である。
【図４Ｂ】図４Ａの使い捨て排泄物処理デバイスの側面図である。
【図４Ｃ】図４Ａの線ＩＶ（ｙ）〜ＩＶ（ｙ）に沿った断面図である。
【図４Ｄ】図４Ａの使い捨て排泄物処理デバイスの底面図である。
【図４Ｅ】図４Ａの線ＩＶ（ｘ）〜ＩＶ（ｘ）に沿った断面図である。
【図５Ａ】使い捨て排泄物処理デバイスの別の実施形態の上面斜視図である。
【図５Ｂ】使い捨て排泄物処理デバイスの別の実施形態の底面斜視図である。
【図５Ｃ】図５Ａの線Ｘ〜Ｘに沿った断面図である。
【図１Ａ】
2004516069.tif 000003
【図１Ｂ】
2004516069.tif 000004
【図１Ｃ】
2004516069.tif 000005
【図１Ｄ】
2004516069.tif 000006
【図１Ｅ】
2004516069.tif 000007
【図２Ａ】
2004516069.tif 000008
【図２Ｂ】
2004516069.tif 000009
【図２Ｃ】
2004516069.tif 000010
【図２Ｄ】
2004516069.tif 000011
【図３Ａ】
2004516069.tif 000012
【図３Ｂ】
2004516069.tif 000013
【図３Ｃ】
2004516069.tif 000014
【図３Ｄ】
2004516069.tif 000015
【図３Ｅ】
2004516069.tif 000016
【図４Ａ】
2004516069.tif 000017
【図４Ｂ】
2004516069.tif 000018
【図４Ｃ】
2004516069.tif 000019
【図４Ｄ】
2004516069.tif 000020
【図４Ｅ】
2004516069.tif 000021
【図５Ａ】
2004516069.tif 000022
【図５Ｂ】
2004516069.tif 000023
【図５Ｃ】
2004516069.tif 000024
【国際公開パンフレット】
2004516069.tif 000025
2004516069.tif 000026
2004516069.tif 000027
2004516069.tif 000028
2004516069.tif 000029
2004516069.tif 000030
2004516069.tif 000031
2004516069.tif 000032
2004516069.tif 000033
2004516069.tif 000034
2004516069.tif 000035
2004516069.tif 000036
2004516069.tif 000037
2004516069.tif 000038
2004516069.tif 000039
2004516069.tif 000040
2004516069.tif 000041
2004516069.tif 000042
2004516069.tif 000043
2004516069.tif 000044
2004516069.tif 000045
2004516069.tif 000046
2004516069.tif 000047
2004516069.tif 000048
2004516069.tif 000049
2004516069.tif 000050
2004516069.tif 000051
2004516069.tif 000052
2004516069.tif 000053
2004516069.tif 000054
2004516069.tif 000055
2004516069.tif 000056
2004516069.tif 000057
2004516069.tif 000058
2004516069.tif 000059
2004516069.tif 000060
2004516069.tif 000061
2004516069.tif 000062
2004516069.tif 000063
【国際調査報告】
2004516069.tif 000064
2004516069.tif 000065